(57)【要約】【課題】押し込み動作と牽引動作とを繰り返す工法においてコルゲート管を傷めることがなく、コルゲート管をスムースに既設配管に挿入することが出来る既設配管へのコルゲート管の挿入工法およびこの工法に用いる挿入補助治具を提供することを目的としている。【解決手段】牽引動作と、押し込み動作とを行い、既設配管内にコルゲート管を挿入する既設配管へのコルゲート管の挿入工法において、コルゲート管より小径かつ可撓性に富んだ密着コイルスプリングをコルゲート管に挿入した状態で、コルゲート管とともに密着コイルスプリングを前記線状材で牽引し、かつ、コルゲート管とともに密着コイルスプリングを既設配管に送り込んで、コルゲート管を既設配管内に挿入したのち、密着コイルスプリングを既設配管のいずれか一方から引き抜くことを特徴としている。【選択図】      図１
2005291255.tif 000002
【特許請求の範囲】
【請求項１】
既設配管の一方の開口端から他方の開口端まで挿通された牽引用の線状材に、樹脂製のコルゲート管の先端を既設配管の一方の開口端側で固定したのち、既設配管の他方の開口端側から前記線状材を牽引する牽引動作と、既設配管の一方の開口端側からコルゲート管を既設配管内に押し込む押し込み動作とを行い、既設配管内にコルゲート管を挿入する既設配管へのコルゲート管の挿入工法において、コルゲート管より小径かつ可撓性に富んだ密着コイルスプリングをコルゲート管に挿入した状態で、コルゲート管とともに密着コイルスプリングを前記線状材で牽引し、かつ、コルゲート管とともに密着コイルスプリングを既設配管に送り込んで、コルゲート管を既設配管内に挿入したのち、密着コイルスプリングを既設配管のいずれか一方から引き抜くことを特徴とする既設配管へのコルゲート管の挿入工法。
【請求項２】
請求項１に記載の既設配管へのコルゲート管の挿入工法に用いる挿入補助治具であって、少なくともコルゲート管に挿入される密着コイルスプリングからなり、密着コイルスプリングの外径がコルゲート管の内径の０．８倍〜０．９５倍であることを特徴とする挿入補助治具。
【請求項３】
密着コイルスプリングの一端が徐々に縮径している請求項２に記載の挿入補助治具。
【請求項４】
密着コイルスプリングの他端に半径方向内側に突出する係止突起を備えている請求項３に記載の挿入補助治具。
【請求項５】
引っ張りに対して密着コイルスプリングより伸びが少ないスプリング伸長防止用線状材が、密着コイルスプリングの全長に渡って密着コイルスプリング内に配置されているとともに、スプリング伸長防止用線状材の一端が密着コイルスプリングに固着されている請求項２〜請求項４のいずれかに記載の挿入補助治具。
【発明の詳細な説明】
【技術分野】
【０００１】
本発明は、老朽化した既設管の内部に新たな管路としてコルゲート管を挿入して更新する工法およびこの工法に用いる挿入補助治具に関する。
【背景技術】
【０００２】
ガスや水道の既設配管が老朽化した場合、地面等を掘削して配管を新しく交換する代わりに、既設配管内に可撓性のあるコルゲート管を挿入し、このコルゲート管を新しい配管として使用する方法が行われている。
この既設配管へのコルゲート管の挿入工法としては、既設配管の一端から他端に向けてコルゲート管を押し込んでいく工法（たとえば、特許文献１参照）、あるいは、既設配管の一方の開口端から他方の開口端まで挿通された牽引用の線状材に、樹脂製のコルゲート管の先端を既設配管の一方の開口端側で固定したのち、既設配管の他方の開口端側から前記線状材を牽引する牽引動作と、既設配管の一方の開口端側からコルゲート管を既設配管内に押し込む押し込み動作とを行い、既設配管内にコルゲート管を挿入する工法（たとえば、特許文献２参照）が既に提案されている。
【０００３】
【特許文献１】特許第2686478号公報
【特許文献２】特開2002-188755号公報
【発明の開示】
【発明が解決しようとする課題】
【０００４】
ところで、上記特許文献１の工法では、既設配管の一端からコルゲート管をスプリング・ガイドと同時に挿入し、コルゲート管の先端から突出したスプリング・ガイドを曲がり部を挿通する際のガイドとしながら、曲がりのある配管へコルゲート管を押し込んでいくようにしている。
本発明者らの検討によれば、コルゲート管の挿入工法においては、曲がりが存在する配管にコルゲート管を挿入する場合には、コルゲート管を押し込んでいく方法が最も有効であるものの、曲がりが多くある配管形態（特に日本の既設配管には多い）においては、この工法を用いる場合、負荷が大きすぎて現実的な使用は困難であることがわかった。
【０００５】
一方、特許文献２の工法で、コルゲート管を既設配管の一端から他端に向かって押し込む押し込み動作と、コルゲート管の先端を牽引ロープで既設配管の他端から牽引する牽引動作とを交互に繰り返すことによって、曲がりが多くある配管形態に対応させるようにしている。
しかしながら、上記のように、押し込み動作と牽引動作とを繰り返す工法は、押し込み動作の途中でコルゲート管の先端が曲がり部に達し、先端が曲がり部でつかえたりした場合でも、タイミングよく牽引動作を行えば、スムースにコルゲート管を既設配管に挿入することができるのであるが、タイミングがあわず、コルゲート管を押し込みすぎると、コルゲート管が途中で座屈するなどの弊害がでる恐れがある。そして、座屈によって、コルゲート管が破損しガス漏れが生じたり、破損しないまでもコルゲート管内に突出部が生じ、この突出部により圧損が大きくなるという問題がでる。また、牽引の際にコルゲート管が屈曲部で偏平に変形する恐れもある。
【０００６】
そこで、特許文献２の工法では、押し込み操作力がコルゲート管の先端に伝達しにくくなった場合には、加圧流体をコルゲート管の内部に供給して、多くの曲がりをライニングしている。しかし、加圧流体は、コルゲート管の内部に均一に圧力を加えるので、必ずしも先端の推進力にはならない。つまり、コルゲート管を周方向に拡径する力も発生し、コルゲート管の物性に悪影響を与えたり、コルゲート管が拡径した場合には、既設配管との摩擦がさらに増大する原因になる。
【０００７】
本発明は、上記事情に鑑みて、押し込み動作と牽引動作とを繰り返す工法においてコルゲート管を傷めることがなく、コルゲート管をスムースに既設配管に挿入することが出来る既設配管へのコルゲート管の挿入工法およびこの工法に用いる挿入補助治具を提供することを目的としている。
【課題を解決するための手段】
【０００８】
上記目的を達成するために、本発明の請求項１に記載の既設配管へのコルゲート管の挿入工法（以下、「本発明の挿入工法」と記す）は、既設配管の一方の開口端から他方の開口端まで挿通された牽引用の線状材に、樹脂製のコルゲート管の先端を既設配管の一方の開口端側で固定したのち、既設配管の他方の開口端側から前記線状材を牽引する牽引動作と、既設配管の一方の開口端側からコルゲート管を既設配管内に押し込む押し込み動作とを行い、既設配管内にコルゲート管を挿入する既設配管へのコルゲート管の挿入工法において、コルゲート管より小径かつ可撓性に富んだ密着コイルスプリングをコルゲート管に挿入した状態で、コルゲート管とともに密着コイルスプリングを前記線状材で牽引し、かつ、コルゲート管とともに密着コイルスプリングを既設配管に送り込んで、コルゲート管を既設配管内に挿入したのち、密着コイルスプリングを既設配管のいずれか一方から引き抜くことを特徴としている。
【０００９】
一方、本発明の請求項２に記載の挿入補助治具（以下、「請求項２の補助治具」と記す）は、少なくともコルゲート管に挿入される密着コイルスプリングからなり、密着コイルスプリングの外径がコルゲート管の内径の０．８倍〜０．９５倍であることを特徴としている。
【００１０】
本発明の請求項３に記載の挿入補助治具（以下、「請求項３の補助治具」と記す）は、請求項２の補助治具において、密着コイルスプリングの一端が徐々に縮径していることを特徴としている。
【００１１】
本発明の請求項４に記載の挿入補助治具（以下、「請求項４の補助治具」と記す）は、請求項３の補助治具において、密着コイルスプリングの他端に半径方向内側に突出する係止突起を備えていることを特徴としている。
【００１２】
本発明の請求項５に記載の挿入補助治具（以下、「請求項５の補助治具」と記す）は、請求項２〜請求項４のいずれかの補助治具において、引っ張りに対して密着コイルスプリングより伸びが少ないスプリング伸長防止用線状材が、密着コイルスプリングの全長に渡って密着コイルスプリング内に配置されているとともに、スプリング伸長防止用線状材の一端が密着コイルスプリングに固着されていることを特徴としている。
【００１３】
なお、本発明において、密着コイルスプリングとは、無負荷状態では、コイルを構成するワイヤの各ループの壁面が密着しており、軸方向に圧縮されてもその長さが略変わらず、径方向に力を受けても、少しの力では直径が略変わらないものである。
線状材としては、特に限定されないが、ワイヤ、ワイヤロープ、樹脂製ロープ等が挙げられ、ワイヤロープが好ましい。
【００１４】
本発明の挿入補助治具には、密着コイルスプリングと、線状材以外に、牽引用線条材にコルゲート管の先端部を固定する固定手段も含まれる。また、挿入補助治具の線状材は、牽引用線状材を兼用していても構わない。
【００１５】
本発明の挿入工法に用いられるコルゲート管は、一層のものでも構わないが、断面波形をした蛇腹状の外層管状部と、この外層管状部に内嵌された状態で、外層管状部と同じピッチの断面波形をした蛇腹状の内層管状部とを有し、外層管状部と、内層管状部とが、断面波形の谷部にあたる部分のみで一体化されている合成樹脂製二層コルゲート管を用いることが好ましい。
【発明の効果】
【００１６】
本発明の挿入工法は、以上のように、コルゲート管内にコルゲート管より可撓性がある密着コイルスプリングを挿入した状態で、コルゲート管とともに密着コイルスプリングを線状材で牽引し、かつ、コルゲート管とともに密着コイルスプリングを既設配管に送り込んで、コルゲート管を既設配管内に挿入するようにしたので、密着コイルスプリングによって、コルゲート管の管軸方向への圧縮変形をさせることなく押し込み力をコルゲート管先端に伝えることができる。また、密着コイルスプリングによってコルゲート管が内側から支持される。したがって、牽引によって屈曲部で偏平が発生しても、偏平を規制することができ、コルゲート管に悪影響を与えない。これは同時に、既設配管とコルゲート管との摩擦も低減でき、コルゲート管の傷つきも減少する。
【００１７】
一方、本発明にかかる挿入補助治具は、以上のように、密着コイルスプリングの外径がコルゲート管の内径の０．８倍〜０．９５倍であるので、上記本発明の挿入工法をより確実に実施することができる。すなわち、密着コイルスプリングの外径がコルゲート管の内径の０．８倍未満では、コルゲート管内のクリアランスが大きくなり、コルゲート管の偏平を抑制する効果が少なくなり、既設配管の屈曲部の数によっては、コルゲート管の座屈や偏平を生じる恐れがある。また、コルゲート管と一体化させにくくなる恐れがある（スプリング長とコルゲート管長を一致させにくくなる）。一方、密着コイルスプリングの外径がコルゲート管の内径の０．９５倍を超えると、配管の延長が長い場合、コルゲート管内部への挿入が困難で、既設配管にコルゲート管を挿入したのち、引き抜く作業が困難になうる。
【００１８】
請求項３の補助治具は、密着コイルスプリングの一端が徐々に縮径しているので、他端に別の密着コイルスプリングの縮径部をねじ込むようにすれば、コイルの螺旋によって一方の密着コイルスプリングの縮径部側が他方の密着コイルスプリングの他端部の内側へスムーズにねじ込まれ、２つの密着コイルスプリングを容易に連結することができる。したがって、複数の密着コイルスプリングを容易しておけば、挿入するコルゲート管に適合した長さの補助治具を容易に形成することができる。また、縮径部を先頭にしてコルゲート管を挿入していくようにすれば、既設配管との摩擦抵抗をより少なくすることができる。
【００１９】
請求項４の補助治具は、密着コイルスプリングの他端に半径方向内側に突出する係止突起を備えているので、密着コイルスプリングが、上記のように連結されたとき、係止突起が、内側に入り込んだ密着コイルスプリングのループとループとの間に入り込み、密着コイルスプリングの抜けを簡単かつ確実に防止できる。すなわち、配管長が長い場合や曲がりが多い場合など、コルゲート管との抵抗が大きくても、挿入後にスプリングを引き抜く際にスプリング同士がその接続部で外れるということがない。
【００２０】
請求項５の補助治具は、引っ張りに対して密着コイルスプリングより伸びが少ない線状材が、密着コイルスプリングの全長に渡って密着コイルスプリング内に配置されているとともに、線状材の一端が密着コイルスプリングに固着されているので、コルゲート管からのスプリングの引き抜き時にスプリングに過剰な引っ張り力を加えることなく、ワイヤロープを引っ張ってスプリングを引き抜くことができる。したがって、スプリングの寿命が長くなる。
【発明を実施するための最良の形態】
【００２１】
以下に、本発明を、その実施の形態をあらわす図面を参照しつつ詳しく説明する。
図１〜図６は、本発明の挿入補助治具の１つの実施の形態をあらわしている。
【００２２】
図１に示すように、この挿入補助治具１は、密着コイルスプリング１１と、スプリング伸長防止用線状材としてのワイヤロープ１２と、接続ネット１３と、スプリング固定具１４とを備えている。
密着コイルスプリング１１は、図１〜図３に示すように、一端が徐々に縮径する縮径部１１ａとなっていて、他端にスプリングを構成するワイヤの一端を折り曲げて形成した係止突起１１ｂを備えている。
【００２３】
ワイヤロープ１２は、図１および図４に示すように、密着コイルスプリング１１の内部に縮径部１１ａ側から係止突起１１ｂが設けられた他端まで通されていて、他端でワイヤ固定治具１５を介して密着コイルスプリング１１に固定されている。
接続ネット１３は、細いワイヤロープが円錐状に編まれて形成され、円錐の中心軸方向に伸長されると縮径して、コルゲート管２の周壁に密着してコルゲート管２の外壁をしっかりと把持するようになっていて、円錐の頂部で、ワイヤロープ１２に固定されている。
【００２４】
スプリング固定具１４は、図示していないが、２つ割になるようになっていて、図５および図６に示すように、コルゲート管２の外壁部の溝２１に嵌まり込むコルゲート管係止突条１４ａと、密着コイルスプリング１１の外面が嵌まり込む螺旋溝１４ｂが内面に設けられている。
【００２５】
つぎに、この挿入補助治具１を用いた本発明の挿入工法を詳しく説明する。
図示していないが、まず、先導糸の先端に落下傘状の風圧受け具を取り付け、風圧受け具を既設配管の一端に挿入したのち、コンプレッサ等で圧縮空気を既設配管の一端から他端に向けて送り、風圧受け具を圧縮空気によって既設配管の他端に送ることによって、先導糸を既設配管内に通す。
【００２６】
そして、先導糸の一端に牽引用ワイヤロープを取り付け、先導糸の他端を引っ張り、既設配管に牽引用ワイヤロープを通す。
また、既設配管に通すコルゲート管２を用意し、挿入補助治具１の密着コイルスプリング１１をコルゲート管２に挿通する。
【００２７】
なお、１本の密着コイルスプリング１１では、コルゲート管２より短い場合は、図３に示すように、別の密着コイルスプリング１１を上述したように接続し、コルゲート管２より少し長くなるようにする。
【００２８】
続いて、コルゲート管２の牽引側の先端を、その軸方向に数箇所（好ましくは、90°ずつ計４箇所）切断し、切断部を密着コイルスプリング１１の縮径部１１ａに沿わせた状態で接続ネット１３をその上方から被せたのち、接続ネット１３を伸長させて、コルゲート管２の上から把持する。
コルゲート管２の他端をスプリング固定具１４を介して密着コイルスプリング１１に固定するとともに、コルゲート管２の牽引側端部から出たワイヤロープ１２の端部を牽引用ワイヤロープＲの一端に固定する。
【００２９】
そして、図７に示すように、既設配管Ｐの一端から作業者Ａがコルゲート管２を既設配管Ｐ内に送り込む動作をしたのち、既設配管Ｐの他端から作業者Ｂが牽引用ワイヤロープＲを牽引する動作を行うという作業を繰り返し、コルゲート管２を既設配管Ｐに挿入する。
そして、既設配管Ｐの他端からコルゲート管２の先端部がある程度突出すれば、スプリング固定具１４を取り外すとともに、接続ネット１３による把持を解除したのち、ワイヤロープ１２を持って、牽引側から密着コイルスプリング１１を引っ張り、コルゲート管２の内部から引き出すようになっている。
【実施例１】
【００３０】
（実施例１）
２５Ａ用のコルゲート管（内径φ１８ｍｍ）に、外径１６．０ｍｍ、ワイヤ径１．５ｍｍの密着コイルスプリングを図１に示すように挿入し、スプリング固定具１４を介して密着コイルスプリングをコルゲート管に固定するとともに、密着コイルスプリング内に中心ワイヤロープを挿通し、中心ワイヤロープの一端を密着コイルスプリングに固定した状態で、０．６ｍピッチで曲がり部を設けた呼び径２５Ａの配管中に、牽引動作と、押し込み動作とを繰り返し行い、コルゲート管を配管中に挿入し、曲がり通過数および挿入状態を調べた。
【００３１】
（実施例２）
密着コイルスプリングとして外径１７．５ｍｍのものを用いた以外は、実施例１と同様にしてコルゲート管を配管中に挿入し、曲がり通過数および挿入状態を調べた。
【００３２】
（実施例３）
密着コイルスプリングとして外径１４．０ｍｍのものを用いた以外は、実施例１と同様にしてコルゲート管を配管中に挿入し、曲がり通過数および挿入状態を調べた。
【００３３】
（実施例４）
密着コイルスプリングとして外径１４．０ｍｍのものを用いるとともに、密着コイルスプリング内に中心ワイヤロープを挿通しなかった以外は、実施例１と同様にしてコルゲート管を配管中に挿入し、曲がり通過数および挿入状態を調べた。
【００３４】
（実施例５）
密着コイルスプリングをコルゲート管に固定せず、密着コイルスプリング内に中心ワイヤロープを挿通しなかった以外は、実施例１と同様にしてコルゲート管を配管中に挿入し、曲がり通過数および挿入状態を調べた。
【００３５】
（比較例１）
コルゲート管内に密着コイルスプリングを挿通しない状態で、コルゲート管を実施例１と同様にして配管中に挿入し、曲がり通過数および挿入状態を調べた。
上記実施例１〜５および比較例１で調べた曲がり通過数および挿入状態を、その実施条件と合わせて表１に示した。なお、表１中、固定は密着コイルスプリングとコルゲート管との固定をあらわす。
【００３６】
【表１】
2005291255.tif 000003
【図面の簡単な説明】
【００３７】
【図１】本発明にかかる挿入補助治具の１つの実施の形態であって、そのコルゲート管への装着状態を模式的にあらわす断面図である。
【図２】図１の挿入補助治具の密着コイルスプリングの斜視図である。
【図３】図２の密着コイルスプリングの連結部の断面図である。
【図４】図１の挿入補助治具の接続ネット部分をあらわす斜視図である。
【図５】図１の挿入補助治具のコルゲート管への装着状態におけるスプリング固定具部分をあらわす側面図である。
【図６】図５の断面図である。
【図７】本発明にかかる既設配管へのコルゲート管の挿入工法を模式的にあらわす説明図である。
【符号の説明】
【００３８】
Ｐ  既設配管
Ｒ  牽引用ワイヤロープ（牽引用の線状材）
１  挿入補助治具
１１  密着コイルスプリング
１１ａ  縮径部
１１ｂ  係止突起
１２  ワイヤロープ（スプリング伸長防止用線状材）
２  コルゲート管
１３  接続ネット
１４  スプリング固定具
１５  ワイヤ固定治具
【図１】
2005291255.tif 000004
【図２】
2005291255.tif 000005
【図３】
2005291255.tif 000006
【図４】
2005291255.tif 000007
【図５】
2005291255.tif 000008
【図６】
2005291255.tif 000009
【図７】
2005291255.tif 000010